(57)【要約】【課題】光源ランプの消灯後、プロジェクタ内部を効率的に冷却することができるプロジェクタを提供する。【解決手段】機能設定手段５４Ａは、パワーボタン２３Ａ１が押下されると、この押下に伴って出力される操作信号を検出し、選択画面記憶手段５５Ａに記憶された機能設定画面を読み込む。そして、液晶パネルを制御し、スクリーン上に機能設定画面を表示する。ユーザは、この機能設定画面において、機能設定ボタン２３Ａにより、冷却ファンの冷却条件を選択し、冷却条件選択手段５４Ａ４は、この選択された冷却ファンの冷却条件を設定する。また、冷却条件選択手段５４Ａ４は、設定条件記録手段５５Ｂにこの設定した冷却条件を記録する。そして、光源駆動制御手段５４Ｅによる光源消灯後、ファン駆動制御手段５４Ｆは、設定条件記録手段５５Ｂに記録された冷却条件に基づいて冷却ファンを駆動制御する。【選択図】　図１０
2004021103.tif 000002
【特許請求の範囲】
【請求項１】
光源から射出された光束を画像情報に応じて変調して光学像を形成する光学系と、この光学系を冷却する冷却ファンと、前記光学系および前記冷却ファンの動作を制御する制御部とを備えたプロジェクタであって、
前記制御部は、
前記冷却ファンの駆動制御を行うファン駆動制御手段と、
前記光源の消灯後の前記冷却ファンによる冷却条件を選択する冷却条件選択手段とを備え、
前記ファン駆動制御手段は、この冷却条件選択手段で選択された冷却条件に基づいて、前記光源の消灯後、前記冷却ファンの駆動制御を行うことを特徴とするプロジェクタ。
【請求項２】
請求項１に記載のプロジェクタにおいて、
前記冷却条件は、前記冷却ファンの回転数および該冷却ファンの駆動時間に基づいて複数設定されていることを特徴とするプロジェクタ。
【請求項３】
請求項１または請求項２に記載のプロジェクタにおいて、
前記冷却ファンは前記光学系に対して複数設けられ、
前記冷却条件は、駆動させる冷却ファンの数および該冷却ファンの駆動時間に基づいて複数設定されていることを特徴とするプロジェクタ。
【請求項４】
請求項１から請求項３のいずれかに記載のプロジェクタにおいて、
前記冷却条件選択手段は、選択し得る冷却条件を前記光学系を介して光学像として表示して、選択を促すことを特徴とするプロジェクタ。
【請求項５】
請求項４に記載のプロジェクタにおいて、
前記冷却条件選択手段は、電源遮断のスイッチが押されたことを条件として、冷却条件を選択するための光学像を表示することを特徴とするプロジェクタ。
【請求項６】
請求項４に記載のプロジェクタにおいて、
前記制御部は、前記光学系および該制御部の機能設定を行う機能設定手段を備え、
この機能設定手段は、前記光学系を介して機能設定に係る光学像を表示して選択を促すように構成され、
前記冷却条件を選択する光学像は、この機能設定に係る光学像に含まれることを特徴とするプロジェクタ。
【請求項７】
請求項１から請求項６のいずれかに記載のプロジェクタにおいて、
前記ファン駆動制御手段は、前記冷却ファンへの印加電圧を変更することにより前記冷却条件に基づいて前記冷却ファンを駆動制御することを特徴とするプロジェクタ。
【請求項８】
請求項１から請求項７のいずれかに記載のプロジェクタにおいて、
前記制御部は、前記ファン駆動制御手段からの出力信号により電源の遮断を行う電源遮断制御手段を備えていることを特徴とするプロジェクタ。
【請求項９】
光源から射出された光束を画像情報に応じて変調して光学像を形成する光学系と、この光学系を冷却する冷却ファンと、前記光学系および前記冷却ファンの動作を制御する制御部とを備えたプロジェクタの制御方法であって、
前記制御部が、所定の操作信号が前記制御部に入力されたことを条件として、前記光源の消灯後の前記冷却ファンによる冷却条件の一覧を光学像として提示して、冷却条件の選択を促す冷却条件提示ステップと、
前記制御部が、選択された冷却条件に基づいて、前記光源の消灯後の冷却条件を設定する冷却条件設定ステップと、
前記制御部が、設定された冷却条件に基づいて、前記光源の消灯後、前記冷却ファンの駆動制御を行うファン駆動制御ステップとを備えていることを特徴とするプロジェクタの制御方法。
【請求項１０】
請求項９に記載のプロジェクタの制御方法において、
前記冷却条件提示ステップは、前記プロジェクタの電源遮断をする旨の操作信号が入力されたことを条件として前記光学像を提示することを特徴とするプロジェクタの制御方法。
【請求項１１】
光源から射出された光束を画像情報に応じて変調して光学像を形成する光学系と、この光学系を冷却する冷却ファンと、前記光学系および前記冷却ファンの動作を制御する制御部とを備えたプロジェクタを制御するプログラムであって、
前記制御部に、請求項９または請求項１０に記載のプロジェクタの制御方法を実行させることを特徴とするプログラム。
【発明の詳細な説明】
【０００１】
【発明の属する技術分野】
本発明は、光源から射出された光束を画像情報に応じて変調して光学像を形成する光学系と、この光学系を冷却する冷却ファンと、前記光学系および前記冷却ファンの動作を制御する制御部とを備えたプロジェクタ、この制御方法、および、このプログラムに関する。
【０００２】
【背景技術】
従来、光源ランプから射出された光束を三色の色光に分離するダイクロイックミラーと、色光毎に画像情報に応じて変調する３枚の液晶パネルと、各液晶パネルで変調された光束を合成するクロスダイクロイックプリズムとを備える三板式のプロジェクタが知られている。
【０００３】
このようなプロジェクタでは、液晶パネル等の光学系を制御するための回路素子からの発熱、または、光源ランプからの発熱を抑制するために冷却ファンを備えている。この冷却ファンは、空気等の媒体による空冷によって、発熱した回路素子または光源ランプ等を直接冷却している。
【０００４】
また、このようなプロジェクタでは、冷却ファンを制御する制御手段を備えている。例えば、光源ランプの消灯後、プロジェクタ内部を冷却するのに、通常９０〜１２０秒の冷却時間（クールダウン）が必要である。ここで、この制御手段は、ユーザがこのプロジェクタを使用し、光源ランプを消灯した後、継続して所定時間（９０〜１２０秒）冷却ファンを制御し、発熱した回路素子および光源ランプ等を引き続き冷却し、これら部材が十分に冷却されたら、全ての電源を遮断する。
【０００５】
【発明が解決しようとする課題】
しかしながら、上記のように光源ランプを消灯した後、所定時間冷却ファンを駆動制御する場合には、ユーザは、この所定時間後でなければ、プロジェクタを片付けることができない。
特に、短時間のプレゼンテーションを異なる場所で複数回行う場合には、ユーザは、プレゼンテーション終了後、クールダウンが終了するまで待たなければならず、会場の移動に時間が掛かる、という問題がある。
【０００６】
本発明の目的は、このような点に鑑みて、光源ランプの消灯後、プロジェクタ内部を効率的に冷却することができるプロジェクタおよびこの制御方法を提供することにある。
【０００７】
【課題を解決するための手段】
本発明のプロジェクタは、光源から射出された光束を画像情報に応じて変調して光学像を形成する光学系と、この光学系を冷却する冷却ファンと、前記光学系および前記冷却ファンの動作を制御する制御部とを備えたプロジェクタであって、前記制御部は、前記冷却ファンの駆動制御を行うファン駆動制御手段と、前記光源の消灯後の前記冷却ファンによる冷却条件を選択する冷却条件選択手段とを備え、前記ファン駆動制御手段は、この冷却条件選択手段で選択された冷却条件に基づいて、前記光源の消灯後、前記冷却ファンの駆動制御を行うことを特徴とするものである。
【０００８】
本発明では、制御部は、ファン駆動制御手段および冷却条件選択手段とを備え、ファン駆動制御手段は、冷却条件選択手段にて選択された冷却条件に基づいて、光源の消灯後、冷却ファンの駆動制御を行う。このことにより、例えば、冷却条件選択手段が、プロジェクタ周囲の温度等を感知して、適宜、効率的な冷却条件を選択するように構成すれば、ファン駆動制御手段は、この冷却条件に基づいて、光源消灯後のクールダウンを効率的に実施することができる。
【０００９】
また、プロジェクタの使用後、冷却条件選択手段が、プロジェクタ内の冷却を短時間で実施する場合、または、冷却ファンによる騒音を考慮して所定時間で実施する場合等を選択することで、光源消灯後のプロジェクタ内の冷却を効率的に実施することができる。
したがって、短時間のプレゼンテーションを異なる場所で複数回行う場合でも、プロジェクタのクールダウンが効率的に実施されるので、ユーザは、プレゼンテーション終了後、会場の移動をスムーズに行うことができる。
【００１０】
本発明のプロジェクタでは、前記冷却条件は、前記冷却ファンの回転数および該冷却ファンの駆動時間に基づいて複数設定されていることが好ましい。
本発明では、冷却条件は、冷却ファンの回転数および冷却ファンの駆動時間に基づいて複数設定されている。このことにより、例えば、冷却条件選択手段が、設定された冷却ファンの回転数および駆動時間のうち、高い回転数および短い駆動時間を選択すれば、光源消灯後のクールダウンを短時間で終了することができる。また、冷却条件選択手段が、設定された冷却ファンの回転数および駆動時間のうち、低い回転数および長い駆動時間を選択すれば、光源消灯後のクールダウンをプロジェクタの静粛性を考慮して実施することができる。
【００１１】
本発明のプロジェクタでは、前記冷却ファンは前記光学系に対して複数設けられ、前記冷却条件は、駆動させる冷却ファンの数および該冷却ファンの駆動時間に基づいて複数設定されていることが好ましい。
通常、プロジェクタ内には、使用目的に応じて複数の冷却ファンが設置されている。例えば、プロジェクタは、プロジェクタ内に設置される光源を冷却する冷却ファン、液晶パネルを主に冷却する冷却ファン、電源を冷却する冷却ファン、プロジェクタ外部に空気を排出する冷却ファン等、冷却対象または設置場所等により複数の冷却ファンを備えている。
【００１２】
本発明では、冷却条件は、駆動させる冷却ファンの数および冷却ファンの駆動時間に基づいて複数設定されている。このことにより、例えば、冷却条件選択手段が、設定された冷却ファンの数および冷却ファンの駆動時間のうち、少ない冷却ファンの数および長い駆動時間を選択すれば、光源消灯後のクールダウンをプロジェクタの静粛性を考慮して実施することができる。また、冷却に必要最低限な冷却対象のみを冷却し、光源消灯後、プロジェクタ内を効率的に冷却することができる。
【００１３】
本発明のプロジェクタでは、前記冷却条件選択手段は、選択し得る冷却条件を前記光学系を介して光学像として表示して、選択を促すことが好ましい。
本発明では、冷却条件選択手段は、選択し得る冷却条件を光学系を介して光学像として表示する。そして、この表示された光学像から冷却条件の選択を促す。このことにより、例えば、プレゼンテーションの終了後、または、プレゼンテーションの開始前に、ユーザが光学像として表示された冷却条件を選択することができる。すなわち、ユーザは、光源消灯後のクールダウンを短時間で終わらせる場合、光源消灯後のクールダウンをプロジェクタの静粛性を考慮して実施する場合等に応じて、冷却条件を選択し、クールダウンを効率的に実施することができる。
【００１４】
本発明のプロジェクタでは、前記冷却条件選択手段は、電源遮断のスイッチが押されたことを条件として、冷却条件を選択するための光学像を表示することが好ましい。
本発明では、電源遮断のスイッチが押されると、冷却条件選択手段は、冷却条件を選択するための光学像を表示する。このことにより、ユーザが電源遮断のスイッチを押したとしても、直ぐに光源が消灯されクールダウンが開始されることはない。ここで、例えば、電源遮断のスイッチが押され、冷却条件選択手段が表示する光学像にこの電源遮断のスイッチの押下を訂正する選択肢があれば、ユーザが間違って、電源遮断のスイッチを押下したとしても、これを訂正することができる。
【００１５】
本発明のプロジェクタでは、前記制御部は、前記光学系および該制御部の機能設定を行う機能設定手段を備え、この機能設定手段は、前記光学系を介して機能設定に係る光学像を表示して選択を促すように構成され、前記冷却条件を選択する光学像は、この機能設定に係る光学像に含まれることが好ましい。
本発明では、制御部は、機能設定手段を備え、この機能設定手段は、光学系を介して光学系および制御部の機能設定に係る光学像を表示して選択を促す。そして、冷却条件を選択する光学像は、この機能設定に係る光学像に含まれる。このことにより、例えば、プレゼンテーションの開始前に、ユーザが光学像として表示された冷却条件のみならず光学系および制御部の機能設定を選択することができる。
【００１６】
本発明のプロジェクタでは、前記ファン駆動制御手段は、前記冷却ファンへの印加電圧を変更することにより前記冷却条件に基づいて前記冷却ファンを駆動制御することが好ましい。
本発明では、ファン駆動制御手段は、冷却条件選択手段にて選択された冷却条件に基づいて、冷却ファンへの印加電圧を変更する。このことにより、例えば、冷却条件選択手段が、冷却条件として冷却ファンの回転数が高い回転数を選択した場合には、その回転数に対応した電圧を冷却ファンに加えることで、冷却ファンを選択した回転数で回転させることができる。また、冷却条件選択手段が、冷却条件として冷却ファンの数を所定数選択した場合には、選択した所定数の冷却ファンにのみ所定の印加電圧を加えることにより、選択した冷却ファンのみを駆動制御することができる。
【００１７】
本発明のプロジェクタでは、前記制御部は、前記ファン駆動制御手段からの出力信号により電源の遮断を行う電源遮断制御手段を備えていることが好ましい。本発明では、制御部は、電源遮断制御手段を備え、この電源遮断制御手段は、ファン駆動制御手段からの出力信号により電源の遮断を行う。このことにより、ファン駆動制御手段によって冷却ファンの駆動制御が終了した後、電源遮断制御手段がこのファン駆動制御手段から信号を受信して電源を遮断することで、クールダウン終了後、自動的に電源を遮断することができる。
【００１８】
本発明のプロジェクタの制御方法は、光源から射出された光束を画像情報に応じて変調して光学像を形成する光学系と、この光学系を冷却する冷却ファンと、前記光学系および前記冷却ファンの動作を制御する制御部とを備えたプロジェクタの制御方法であって、前記制御部が、所定の操作信号が前記制御部に入力されたことを条件として、前記光源の消灯後の前記冷却ファンによる冷却条件の一覧を光学像として提示して、冷却条件の選択を促す冷却条件提示ステップと、前記制御部が、選択された冷却条件に基づいて、前記光源の消灯後の冷却条件を設定する冷却条件設定ステップと、前記制御部が、設定された冷却条件に基づいて、前記光源の消灯後、前記冷却ファンの駆動制御を行うファン駆動制御ステップとを備えていることを特徴とするものである。
【００１９】
本発明では、プロジェクタの制御方法は、冷却条件提示ステップと、冷却条件設定ステップと、ファン駆動制御ステップとを備えていることにより、冷却条件設定ステップにおいて、プロジェクタ内の冷却を短時間で実施する場合、または、冷却ファンによる騒音を考慮して所定時間で実施する場合等を設定することで、光源消灯後のプロジェクタ内の冷却を効率的に実施することができる。
【００２０】
本発明のプロジェクタの制御方法では、前記冷却条件提示ステップは、前記プロジェクタの電源遮断をする旨の操作信号が入力されたことを条件として前記光学像を提示することが好ましい。
本発明では、冷却条件提示ステップは、プロジェクタの電源遮断をする旨の操作信号が入力されたことを条件として光学像を提示する。このことにより、電源遮断をする旨の操作信号が入力されたとしても、直ぐに光源が消灯されファン駆動制御ステップが開始されることがない。ここで、例えば、表示された光学像に電源遮断をする旨の操作信号の入力を訂正する選択肢があれば、この操作信号が間違って入力された場合であっても、この入力を訂正することができる。
【００２１】
本発明のプログラムは、光源から射出された光束を画像情報に応じて変調して光学像を形成する光学系と、この光学系を冷却する冷却ファンと、前記光学系および前記冷却ファンの動作を制御する制御部とを備えたプロジェクタを制御するプログラムであって、前記制御部に請求項９または請求項１０に記載のプロジェクタの制御方法を実行させることを特徴とする。
このような本発明によれば、請求項９または請求項１０に記載のプロジェクタの制御方法をプロジェクタの制御部に実行させることができ、本発明の利用促進を大幅に図ることができる。
【００２２】
【発明の実施の形態】
以下、本発明の一実施形態を図面に基づいて説明する。
〔１．プロジェクタの主な構成〕
図１は、本発明に係るプロジェクタ１を上方前面側から見た斜視図である。図２は、プロジェクタ１を下方背面側から見た斜視図である。
図１または図２に示すように、プロジェクタ１は、射出成形によって成形された略直方体状の外装ケース２を備える。この外装ケース２は、プロジェクタ１の本体部分を収納する合成樹脂製の筐体であり、アッパーケース２１と、ロアーケース２２とを備え、これらのケース２１，２２は、互いに着脱自在に構成されている。
【００２３】
アッパーケース２１は、図１，２に示すように、プロジェクタ１の上面、側面、前面、および背面をそれぞれ構成する上面部２１Ａ、側面部２１Ｂ、前面部２１Ｃおよび背面部２１Ｄを含んで構成される。
同様に、ロアーケース２２も、図１，２に示すように、プロジェクタ１の下面、側面、前面、および背面をそれぞれ構成する下面部２２Ａ、側面部２２Ｂ、前面部２２Ｃ、および背面部２２Ｄを含んで構成される。
【００２４】
従って、図１，２に示すように、直方体状の外装ケース２において、アッパーケース２１およびロアーケース２２の側面部２１Ｂ，２２Ｂ同士が連続的に接続されて直方体の側面部分２１０が構成され、同様に、前面部２１Ｃ，２２Ｃ同士の接続で前面部分２２０が、背面部２１Ｄ，２２Ｄ同士の接続で背面部分２３０が、上面部２１Ａにより上面部分２４０が、下面部２２Ａにより下面部分２５０がそれぞれ構成される。
【００２５】
図１に示すように、上面部分２４０において、その前方側には操作パネル２３が設けられ、この操作パネル２３の近傍には音声出力用のスピーカ孔２４０Ａが形成されている。
操作パネル２３は、表面に構成された各機能ボタンを押下することにより、各種機能に対応する信号を制御基板５に対して送信する。この機能ボタンは、プロジェクタ１のクールダウン時の冷却制御機能、投写画像の設定変更機能、出力音声量調節機能、入力画像情報の切替機能等の各種機能を設定する機能設定ボタン２３Ａを備えている。なお、この機能設定ボタン２３Ａの詳細については、後述する。
【００２６】
前方から見て右側の側面部分２１０には、２つの側面部２１Ｂ，２２Ｂを跨る開口２１１が形成されている。ここで、外装ケース２内には、後述するメイン基板５１と、インターフェース基板５２とが設けられており、この開口２１１に取り付けられるインターフェースパネル５３を介して、メイン基板５１に実装された接続部５１Ｂと、インターフェース基板５２に実装された接続部５２Ａとが外部に露出している。これらの接続部５１Ｂ，５２Ａにおいて、プロジェクタ１には外部の電子機器等が接続される。
【００２７】
前面部分２２０において、前方から見て右側で、前記操作パネル２３の近傍には、２つの前面部２１Ｃ，２２Ｃを跨ぐ円形状の開口２２１が形成されている。この開口２２１に対応するように、外装ケース２内部には、投写レンズ４６が配置されている。この際、開口２２１から投写レンズ４６の先端部分が外部に露出しており、この露出部分の一部であるレバー４６Ａを介して、投写レンズ４６のフォーカス操作が手動で行えるようになっている。
【００２８】
前面部分２２０において、前記開口２２１の反対側の位置には、排気口２２２が形成されている。この排気口２２２には、安全カバー２２２Ａが形成されている。
【００２９】
図２に示すように、背面部分２３０において、背面から見た右側には矩形状の開口２３１が形成され、この開口２３１からインレットコネクタ２４が露出するようになっている。
【００３０】
下面部分２５０において、下方から見て右端側の中央位置には矩形状の開口２５１が形成されている。開口２５１には、この開口２５１を覆うランプカバー２５が着脱自在に設けられている。このランプカバー２５を取り外すことにより、図示しない光源ランプの交換が容易に行えるようになっている。
【００３１】
また、下面部分２５０において、下方から見て左側で背面側の隅部には、一段内側に凹んだ矩形面２５２が形成されている。この矩形面２５２には、外部から冷却空気を吸入するための吸気口２５２Ａが形成されている。矩形面２５２には、この矩形面２５２を覆う吸気口カバー２６が着脱自在に設けられている。吸気口カバー２６には、吸気口２５２Ａに対応する開口２６Ａが形成されている。開口２６Ａには、図示しないエアフィルタが設けられており、内部への塵埃の侵入が防止されている。
【００３２】
さらに、下面部分２５０において、後方側の略中央位置にはプロジェクタ１の脚部を構成する後脚２Ｒが形成されている。また、下面部２２Ａにおける前方側の左右の隅部には、同じくプロジェクタ１の脚部を構成する前脚２Ｆがそれぞれ設けられている。つまり、プロジェクタ１は、後脚２Ｒおよび２つ前脚２Ｆにより３点で支持されている。
２つの前脚２Ｆは、それぞれ上下方向に進退可能に構成されており、プロジェクタ１の前後方向および左右方向の傾き（姿勢）を調整して、投写画像の位置調整ができるようになっている。
【００３３】
また、図１，２に示すように、下面部分２５０と前面部分２２０とを跨るように、外装ケース２における前方側の略中央位置には、直方体状の凹部２５３が形成されている。この凹部２５３には、該凹部２５３の下側および前側を覆う前後方向にスライド自在なカバー部材２７が設けられている。このカバー部材２７により、凹部２５３には、プロジェクタ１の遠隔操作を行うための図示しないリモートコントローラ（リモコン）が収納される。
【００３４】
ここで、図３，４は、プロジェクタ１の内部を示す斜視図である。具体的には、図３は、図１の状態からプロジェクタ１のアッパーケース２１を外した図である。図４は、図３の状態から制御基板５を外した図である。
【００３５】
外装ケース２には、図３，４に示すように、背面部分に沿って配置され、左右方向に延びる電源ユニット３と、この電源ユニット３の前側に配置された平面視略Ｌ字状で光学系としての光学ユニット４と、これらのユニット３，４の上方および右側に配置される制御基板５とを備える。これらの各装置３〜５によりプロジェクタ１の本体が構成されている。
【００３６】
電源ユニット３は、電源３１と、この電源３１の下方に配置された図示しないランプ駆動回路（バラスト）とを含んで構成される。
電源３１は、前記インレットコネクタに接続された図示しない電源ケーブルを通して外部から供給された電力を、前記ランプ駆動回路や制御基板５等に供給するものである。
前記ランプ駆動回路は、光学ユニット４を構成する図３，４では図示しない光源ランプに、電源３１から供給された電力を供給するものであり、前記光源ランプと電気的に接続されている。このようなランプ駆動回路は、例えば、基板に配線することにより構成できる。
【００３７】
電源３１および前記ランプ駆動回路は、略平行に上下に並んで配置されており、これらの占有空間は、プロジェクタ１の背面側で左右方向に延びている。
また、電源３１はおよび前記ランプ駆動回路は、左右側が開口されたアルミニウム等の金属製のシールド部材３１Ａによって周囲を覆われている。
シールド部材３１Ａは、冷却空気を誘導するダクトとしての機能に加えて、電源３１や前記ランプ駆動回路で発生する電磁ノイズが、外部へ漏れないようにする機能も有している。
【００３８】
制御基板５は、図３に示すように、ユニット３，４の上側を覆うように配置されＣＰＵや接続部５１Ｂ等を含むメイン基板５１と、このメイン基板５１の下側に配置され接続部５２Ａを含むインターフェース基板５２とを備える。
この制御基板５では、接続部５１Ｂ，５２Ａを介して入力された画像情報に応じて、メイン基板５１のＣＰＵ等が、後述する光学装置を構成する液晶パネルの制御を行う。また、メイン基板５１のＣＰＵ等は、液晶パネルの制御の他、外部から入力された音声情報を所定の伸長処理を施してスピーカ（図示省略）を介して出力する音声情報の制御、スクリーンに表示される画像の補正（台形歪み補正等）を行う画像の制御、冷却ファンの回転数、数、駆動時間等の制御を行う冷却ファンの制御等を行う。
このため、この制御基板５のメイン基板５１には、これら制御を行う制御部５４と、この制御部５４からのデータを記憶する蓄積部５５を備えている。これら制御部５４および蓄積部５５の詳細については、後述する。
【００３９】
メイン基板５１は、金属製のシールド部材５１Ａによって周囲を覆われている。メイン基板５１は、図３ではわかり難いが、光学ユニット４を構成する上ライトガイド４７２の上端部分４７２Ａ（図４）に当接している。
【００４０】
〔２．光学ユニットの詳細な構成〕
ここで、図５は、光学ユニット４を示す分解斜視図である。図６は、光学ユニット４を模式的に示す図である。
光学ユニット４は、図６に示すように、光源装置４１１を構成する光源ランプ４１６から射出された光束を光学的に処理して画像情報に対応した光学像を形成し、この光学像を拡大して投射するユニットであり、インテグレータ照明光学系４１と、色分離光学系４２と、リレー光学系４３と、光学装置４４と、投写レンズ４６と、これらの光学部品４１〜４４，４６を収納する合成樹脂製のライトガイド４７（図５）とを備える。
【００４１】
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備える。
【００４２】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。光源ランプ４１６には、高圧水銀ランプを採用している。なお、高圧水銀ランプ以外に、メタルハライドランプやハロゲンランプ等も採用できる。また、リフレクタ４１７には、放物面鏡を採用している。なお、放物面鏡の代わりに、平行化凹レンズおよび楕円面鏡を組み合わせたものを採用してもよい。
【００４３】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００４４】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００４５】
偏光変換素子４１４は、第２レンズアレイ４１３と重畳レンズ４１５との間に配置される。このような偏光変換素子４１４は、第２レンズアレイ４１３からの光を１種類の偏光光に変換するものであり、これにより、光学装置４４での光の利用効率が高められている。
【００４６】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４での光の利用効率を高めている。なお、このような偏光変換素子４１４は、たとえば特開平８−３０４７３９号公報に紹介されている。
【００４７】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００４８】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００４９】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００５０】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００５１】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
【００５２】
液晶パネル４４１Ｒ，４４１Ｇ，４４１Ｂは、例えば、ポリシリコンＴＦＴをスイッチング素子として用いたものである。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００５３】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００５４】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００５５】
以上説明した液晶パネル４４１、射出側偏光板４４３およびクロスダイクロイックプリズム４４４は、一体的にユニット化された光学装置本体４５として構成されている。図７は、光学装置本体４５を示す斜視図である。
光学装置本体４５は、図７に示すように、クロスダイクロイックプリズム４４４と、このクロスダイクロイックプリズム４４４の上面に固定された合成樹脂製の固定板４４７と、クロスダイクロイックプリズム４４４の光束入射端面に取り付けられ、射出側偏光板４４３を保持する金属製の保持板４４６と、この保持板４４６の光束入射側に取り付けられた透明樹脂製の４つのピン部材４４５によって保持される液晶パネル４４１（４４１Ｒ，４４１Ｇ，４４１Ｂ）とを備える。
保持板４４６と液晶パネル４４１との間には、所定間隔の空隙が設けられており、この空隙部分に冷却空気が流れるようになっている。
光学装置本体４５は、固定板４４７に形成された４つの腕部４４７Ａの丸穴４４７Ｂを介して、下ライトガイド４７１にねじ止め固定される。
【００５６】
投写レンズ４６は、光学装置４４のクロスダイクロイックプリズム４４４で合成されたカラー画像を拡大して投写するものである。
ライトガイド４７は、図５に示すように、各光学部品４１２〜４１５，４１８，４２１〜４２３，４３１〜４３４，４４２を上方からスライド式に嵌め込む溝部が形成された下ライトガイド４７１と、下ライトガイド４７１の上側開口を閉塞する蓋状の上ライトガイド４７２とを備えて構成される。
【００５７】
図５に示すように、平面視略Ｌ字状の下ライトガイド４７１の一端側には、光源装置４１１が収容されている。他端側には、下ライトガイド４７１に形成されたヘッド部４７３を介して、投写レンズ４６がねじ止め固定されている。
【００５８】
また、図５に示すように、下ライトガイド４７１に収納された光学装置本体４５は、２つのばね部材５０を挟んだ状態で下ライトガイド４７１にねじ止め固定される。この２つのばね部材５０は、フィールドレンズ４１８および入射側偏光板４４２を下方へと付勢して位置を特定する。
【００５９】
〔３．冷却構造〕
図８は、図４から前記上ライトガイドおよび光学装置本体４５を取り外した図である。また、図９は、光学ユニット４を示す斜視図である。
ここで、プロジェクタ１には、図８，９に示すように、液晶パネル４４１を主に冷却するパネル冷却系Ａと、偏光変換素子４１４を主に冷却する偏光変換素子冷却系Ｂと、電源ユニット３を主に冷却する電源冷却系Ｃと、光源装置４１１を主に冷却する光源冷却系Ｄとが設けられている。すなわち、本発明に係る光学系は、液晶パネル４４１、偏光変換素子４１４、および、光源装置４１１に相当する。
【００６０】
また、これらパネル冷却系Ａ、偏光変換素子冷却系Ｂ、電源冷却系Ｃ、および光源冷却系Ｄには、冷却ファン６０が用いられる。また、この冷却ファン６０は、シロッコファン６１と、シロッコファン６２と、軸流ファン６３とを備えて構成されている。
【００６１】
図８に示すように、パネル冷却系Ａでは、電源ユニット３の下側に配置された大型のシロッコファン６１が用いられている。
パネル冷却系Ａでは、図８または図９に示すように、シロッコファン６１によって、外装ケース２の下面部分２５０に形成された吸気口２５２Ａ（図２）から吸入された外部の冷却空気は、図示しないダクトによって光学装置本体４５の下方へと導かれ、下ライトガイド４７１における各液晶パネル４４１の下側に形成された吸入口からライトガイド４７内部へと入る。この冷却空気は、図９に示すように、各液晶パネル４４１Ｒ，４４１Ｇ，４４１Ｂとクロスダイクロイックプリズム４４４との間の空隙を通って、液晶パネル４４１と前記射出側偏光板を冷却し、上ライトガイド４７２と前記制御基板との間の空間に排出される。また、この冷却空気は、各液晶パネル４４１Ｒ，４４１Ｇ，４４１Ｂとフィールドレンズ４１８との間の空隙を通って、液晶パネル４４１と前記入射側偏光板を冷却し、上ライトガイド４７２と前記入射側偏光板との間の空間に排出される。
なお、この空間に排出された空気は、上ライトガイド４７２の上端部分４７２Ａと前記制御基板５との当接により、投写レンズ４６側へは流れないようになっている。
【００６２】
偏光変換素子冷却系Ｂでは、前記シロッコファン６１によって吸入された冷却空気は、下ライトガイド４７１の下側に配置された図示しないダクトによって、偏光変換素子４１４の下側まで導かれ、下ライトガイド４７１における偏光変換素子４１４の下側に形成された吸入口からライトガイド４７内へ入り、偏光変換素子４１４を冷却した後に、上ライトガイド４７２に形成された排出口４７４から排出される。
【００６３】
電源冷却系Ｃでは、図８に示すように、金属製の板材を挟んでシロッコファン６１の上側に配置された小型のシロッコファン６２が用いられている。
電源冷却系Ｃでは、パネル冷却系Ａによって上ライトガイド４７２と前記制御基板５の間に流れてきた冷却空気は、制御基板５を冷却しつつシロッコファン６２によって吸入され、電源ユニット３の内部側へと排出される。この内部に排出された空気は、シールド部材３１Ａに沿って流れて電源３１および前記ランプ駆動回路を冷却し、シロッコファン６２とは反対側の開口から排出される。
【００６４】
光源冷却系Ｄでは、光源装置４１１の前面側に配置された軸流ファン６３と、この軸流ファン６３に取り付けられたダクト６４とが用いられている。
光源冷却系Ｄでは、電源冷却系Ｃおよび偏光変換素子冷却系Ｂから排出された空気は、軸流ファン６３の吸引によって、光源装置４１１の側面部分に形成されたスリット状の開口から光源装置４１１内に入り込んで光源ランプ４１６を冷却し、ダクト６４を介して、外装ケース２の排気口２２２から外部へと排出される。
【００６５】
〔４．制御部の構造〕
図１０は、制御部５４の構造を模式的に示すブロック図である。
図１０に示すように、前述した操作パネル２３における機能設定ボタン２３Ａは、メイン基板５１上に実装された制御部５４と電気的に接続している。
【００６６】
先ず、操作パネル２３（図１）における機能設定ボタン２３Ａについて説明する。
機能設定ボタン２３Ａは、プロジェクタ１の電源オン・オフ制御を実施するとともに、プロジェクタ１の各種機能を設定し、制御部５４に信号を送信する。この機能設定ボタン２３Ａは、図１に示すように、電源オン・オフ機能を有する電源遮断のスイッチとしてのパワーボタン２３Ａ１と、プロジェクタ１の各種機能を設定する設定条件を選択する選択ボタン２３Ａ２と、この選択ボタン２３Ａ２にて選択された設定条件を決定する決定ボタン２３Ａ３とを備えて構成されている。
【００６７】
パワーボタン２３Ａ１は、プロジェクタ１の電源オン・オフ制御を実施する。また、プロジェクタ１の起動時に、１度押下することで、メイン基板５１上に実装された後述する蓄積部５５内に格納されたプロジェクタ１の各種機能を選択する機能設定画面を呼び出すための操作信号を制御部５４に送信する。
そして、このパワーボタン２３Ａ１の押下により、スクリーン上に機能設定画面が表示される。この機能設定画面は、図１１に示すように、プロジェクタ１の各種機能項目と設定項目とに分かれて表示される。
また、再度押下することで、機能設定画面におけるプロジェクタ１の各種機能の設定を終了し、光源ランプ４１６を消灯するための信号を制御部５４に送信する。
【００６８】
選択ボタン２３Ａ２は、機能設定画面に同時に表示され、プロジェクタ１の各種機能を設定する設定条件を指示するカーソル（図１１）を上下または左右に移動させる操作信号を制御部５４に送信する。また、このカーソルの指示により、表示が反転され、選択の決定は決定ボタン２３Ａ３の押下により実施される。
また、選択が決定された後、パワーボタン２３Ａ１を再度押下すると、決定ボタン２３Ａ３により決定した設定条件がメイン基板５１上に実装された後述する蓄積部５５内に記録される。
【００６９】
決定ボタン２３Ａ３は、選択ボタン２３Ａ２により指示したプロジェクタ１の各種機能を設定する設定条件を決定する。具体的に、この決定ボタン２３Ａ３を押下することで、機能設定画面（図１１）の各項目の左に表示される項目選択部が反転するようになっている。
なお、図示しないリモートコントローラにも、上記パワーボタン２３Ａ１、選択ボタン２３Ａ２、および、決定ボタン２３Ａ３と同一の機能ボタンが設置されている。このため、リモートコントローラから制御部５４に信号を送信し、プロジェクタ１の機能設定を行うことができる。
【００７０】
制御部５４は、メイン基板５１上に実装され、プロジェクタ１全体の動作を制御する。この制御部５４は、機能設定ボタン２３Ａからの操作信号を検出し、設定された各種機能に基づいてプロジェクタ１全体の動作を制御する。
この制御部５４は、ＣＰＵ等から構成され、図示しないＲＯＭ等に格納される制御プログラムを読み込んで実行する。この制御部５４は、機能設定手段５４Ａと、液晶パネル制御手段５４Ｂと、音声情報制御手段５４Ｃと、画像制御手段５４Ｄと、光源駆動制御手段５４Ｅと、ファン駆動制御手段５４Ｆと、電源遮断制御手段としての電源切替制御手段５４Ｇとを備えて構成されている。
【００７１】
機能設定手段５４Ａは、機能設定ボタン２３Ａの操作信号を検出し、プロジェクタ１の各種機能設定を行う。この機能設定手段５４Ａは、プロジェクタ１の起動時におけるパワーボタン２３Ａ１の押下に伴って送信される操作信号に基づいて、蓄積部５５に予め記憶された機能設定画面を読み込む。そして、液晶パネル４４１を制御して機能設定画面をスクリーン上に表示し、選択を促す。この機能設定手段５４Ａは、映像情報選択手段５４Ａ１と、音声出力選択手段５４Ａ２と、画像設定選択手段５４Ａ３と、冷却条件選択手段５４Ａ４と、初期化手段５４Ａ５とを備えて構成されている。
【００７２】
映像情報選択手段５４Ａ１は、機能設定ボタン２３Ａの操作信号を検出し、スクリーン上に投写される映像の設定を行う。具体的には、機能設定画面（図１１）の機能項目における映像の項目において、スクリーン上に投写される映像の色、コントラスト等の設定を行う。
【００７３】
音声出力選択手段５４Ａ２は、機能設定ボタン２３Ａの操作信号を検出し、スピーカ（図示省略）から出力される音声の設定を行う。具体的には、機能設定画面（図１１）の機能項目における音声の項目において、スピーカから出力される音声の音量、音質等の設定を行う。
【００７４】
画像設定選択手段５４Ａ３は、機能設定ボタン２３Ａの操作信号を検出し、スクリーンに表示される画像のトラッキング、表示位置、同期等の設定を行う。例えば、表示位置に関しては、機能設定画面（図１１）の機能項目の設定において、設定項目の台形補正、自動台形補正に関しての設定を行う。
【００７５】
冷却条件選択手段５４Ａ４は、機能設定ボタン２３Ａの操作信号を検出し、光源ランプ４１６の消灯後のクールダウン時における冷却ファンの冷却条件の設定を行う。具体的に、冷却条件は、機能設定画面（図１１）の機能項目の設定において、設定項目のクールダウンモードに相当する。このクールダウンモードは、高速および低速の２つの項目が設定されている。
【００７６】
ここで、高速の項目は、光源ランプ４１６を消灯した後、冷却ファン６０の回転数を高く、かつ、冷却ファン６０の駆動時間を短時間に設定する項目である。
また、低速の項目は、光源ランプ４１６を消灯した後、冷却ファン６０の回転数を低く、かつ、冷却ファン６０の駆動時間を長めに設定し、冷却ファン６０からの騒音を考慮した項目である。
【００７７】
上述した映像情報選択手段５４Ａ１、音声出力選択手段５４Ａ２、画像設定選択手段５４Ａ３、および、冷却条件選択手段５４Ａ４にて設定された各種設定項目は、後述する蓄積部５５にデータとして記録される。
【００７８】
初期化手段５４Ａ５は、上述のように設定した各種設定項目を全て初期化（初期設定値）する。すなわち、蓄積部５５に記録された各種設定項目を初期設定値に置換する。
【００７９】
液晶パネル制御手段５４Ｂは、外部から入力される画像情報に応じて液晶パネル４４１を制御する。また、映像情報選択手段５４Ａ１にて設定され、蓄積部５５に記録された映像の色、コントラスト等に基づくデータを読み込み、このデータに基づいて液晶パネル４４１を制御し、映像の調整を行う。この液晶パネル制御手段５４Ｂは、ＣＰＵやメモリ等の回路素子が実装された画像信号処理回路等で構成されている。
【００８０】
また、この液晶パネル制御手段５４Ｂは、具体的な図示は省略するが、接続部５１Ｂ、インターフェース基板５２と接続し、ＰＣデータ、ＤＶＤやビデオ、ビデオカメラ等、さまざまな映像情報を入力し、この映像情報に応じて液晶パネル４４１を制御する。
【００８１】
音声情報制御手段５４Ｃは、外部から入力される音声情報に所定の伸長処理を施し、音声信号としてアンプ（図示省略）に出力する。そして、アンプは、入力した音声信号を増幅し、スピーカを介して音声を出力する。また、この音声情報制御手段５４Ｃは、音声出力選択手段５４Ａ２にて設定され、蓄積部５５に記録された音量、音質等に基づくデータを読み込み、このデータに基づいてアンプに出力する音声信号を制御し、音声の調整を行う。
【００８２】
画像制御手段５４Ｄは、例えば、接続したＰＣのモードを判別し、画像のトラッキング、表示位置、同期等について画像を最適な状態に調整する。また、画像設定選択手段５４Ａ３にて設定され、蓄積部５５に記録された画像のトラッキング、表示位置、同期等に基づくデータを読み込み、このデータに基づいて画像の調整を行う。例えば、表示位置に基づくデータとして台形補正または自動台形補正を読み込んだ際には、プロジェクタ１の左右の前脚２Ｆを制御し、スクリーン上に表示される画像の台形歪み補正を行う。
【００８３】
光源駆動制御手段５４Ｅは、機能設定ボタン２３Ａの操作信号を検出し、光源ランプ４１６の駆動制御する。このため、この光源駆動制御手段５４Ｅは、具体的な図示を省略するが、光源ランプ４１６を駆動するランプ駆動回路と電気的に接続されている。
具体的には、プロジェクタ１の起動時に、パワーボタン２３Ａ１の２度目の押下に伴って送信される操作信号に基づいて、ランプ駆動回路に制御信号を出力する。そして、ランプ駆動回路は、この制御信号に基づいて光源ランプ４１６を消灯する。また、光源駆動制御手段５４Ｅは、この光源ランプ４１６を消灯させた後、信号をファン駆動制御手段５４Ｆに出力する。
また、プロジェクタ１の未起動時に、パワーボタン２３Ａ１の押下に伴って送信される操作信号に基づいて、ランプ駆動回路に制御信号を出力する。そして、ランプ駆動回路は、この制御信号に基づいて光源ランプ４１６を点灯する。
【００８４】
ファン駆動制御手段５４Ｆは、パワーボタン２３Ａ１の押下に伴って送信される操作信号、または、光源駆動制御手段５４Ｅからの信号に応じて、冷却ファン６０を駆動制御する。このため、ファン駆動制御手段５４Ｆは、具体的な図示は省略するが、冷却ファン６０を駆動するモータと電気的に接続されている。
具体的には、光源駆動制御手段５４Ｅからの信号を入力すると、冷却条件選択手段５４Ａ４にて設定され、蓄積部５５に記録された冷却条件を読み込む。そして、この冷却条件に基づく印加電圧を冷却ファン６０を駆動するモータ（図示省略）に出力する。また、このファン駆動制御手段５４Ｆは、モータ（図示省略）への印加電圧の出力終了後、電源切替制御手段５４Ｇに信号を出力する。
【００８５】
電源切替制御手段５４Ｇは、パワーボタン２３Ａ１の押下に応じて、プロジェクタ１の電源３１ＯＮ・ＯＦＦ制御を実施する。具体的には、プロジェクタ１の未起動時に、パワーボタン２３Ａ１を押下することにより、プロジェクタ１の電源３１をＯＮする。また、プロジェクタ１の起動時に、パワーボタン２３Ａ１が２度押下され、ファン駆動制御手段５４Ｆによるモータへの印加電圧の出力終了後、ファン駆動制御手段５４Ｆから信号を受信してプロジェクタ１の電源３１をＯＦＦする。このため、この電源切替制御手段５４Ｇは、電源３１と電気的に接続している。
【００８６】
蓄積部５５は、制御部５４から出力されるデータを記憶するとともに、予めユーザ等により設定された機能設定画面を記憶する。この蓄積部５５は、選択画面記憶手段５５Ａと、設定条件記録手段５５Ｂとを備えて構成されている。
選択画面記憶手段５５Ａは、ＲＯＭ（Ｒｅａｄ　Ｏｎｌｙ　Ｍｅｍｏｒｙ）等で構成され、設定された機能設定画面（図１１）を記憶する。
【００８７】
設定条件記録手段５５Ｂは、電気的に書換可能であるフラッシュメモリ等で構成され、機能設定手段５４Ａにて設定された情報がデータとして記録される。液晶パネル制御手段５４Ｂ、音声情報制御手段５４Ｃ、画像制御手段５４Ｄ、および、ファン駆動制御手段５４Ｆは、この記録されたデータを読み込み、このデータに基づいてプロジェクタ１の各種機能を制御する。
【００８８】
〔５．冷却ファンの制御方法〕
次に冷却ファン６０の制御方法について、図１０、図１１、および、図１２に示すフローチャートを参照して説明する。
（Ａ）プレゼンテーション等の終了後、プロジェクタ１の起動時に、ユーザが操作パネル２３のパワーボタン２３Ａ１を押下すると、このパワーボタン２３Ａ１の押下に伴った操作信号を制御部５４の機能設定手段５４Ａが検出する（ステップＳ１）。
【００８９】
（Ｂ）このステップＳ１において、機能設定手段５４Ａが操作信号を検出すると、機能設定手段５４Ａは、受信した操作信号に基づいて蓄積部５５の選択画面記憶手段５５Ａから機能設定画面を読み込む。そして、機能設定手段５４Ａは、読み込んだ機能設定画面に応じて液晶パネル４４１を制御する。この後、液晶パネル４４１は機能設定画面に応じた光学像を形成し、スクリーン上に機能設定画面が表示される（冷却条件提示ステップ：ステップＳ２）。
【００９０】
（Ｃ）ユーザは、ステップＳ２において、スクリーン上に表示された機能設定画面における機能項目において、選択ボタン２３Ａ２を操作して、設定の項目を選択する。また、設定の項目におけるクールダウンモードにて高速または低速を選択する。そして、この高速または低速の選択の後、ユーザは、決定ボタン２３Ａ３を押下すると、冷却条件選択手段５４Ａ４は、この決定ボタン２３Ａ３の押下に伴った操作信号に基づいて冷却条件を設定する（冷却条件設定ステップ：ステップＳ３）。
【００９１】
（Ｄ）ステップＳ３において、冷却条件が設定された後、ユーザは、パワーボタン２３Ａ１を再度押下する。このパワーボタン２３Ａ１の押下に伴って、冷却条件選択手段５４Ａ４は、ステップＳ３において設定した冷却条件を蓄積部５５の設定条件記録手段５５Ｂに記録する（ステップＳ４）。なお、ここでは、冷却条件の設定を説明したが、映像情報選択手段５４Ａ１、音声出力選択手段５４Ａ２、画像設定選択手段５４Ａ３によって設定された設定条件もステップＳ４において、設定条件記録手段５５Ｂに記録される。
このステップＳ４における各種設定条件の設定条件記録手段５５Ｂへの記録により、ステップＳ１に続いてステップＳ３を実施する場合には、従前に記録された設定条件と同様の動作制御が実施される。
【００９２】
（Ｅ）また、ステップＳ４における設定条件の記録と同時に、パワーボタン２３Ａ１が再度押下されたことに伴って、操作信号が制御部５４に送信される。そして、光源駆動制御手段５４Ｅは、この操作信号を受信し、受信した操作信号に基づいてランプ駆動回路に制御信号を送信する。この後、ランプ駆動回路は光源ランプ４１６を消灯する（ステップＳ５）。また、光源駆動制御手段５４Ｅは、光源ランプ４１６を消灯させた後、信号をファン駆動制御手段５４Ｆに出力する。
【００９３】
（Ｆ）ステップＳ５の後、ファン駆動制御手段５４Ｆは、光源駆動制御手段５４Ｅからの信号を入力し、この信号に応じて、蓄積部５５の設定条件記録手段５５Ｂに記録された設定条件のうち、冷却ファン６０の冷却条件（クールダウンモード：高速または低速）を読み込む。そして、この読み込んだ冷却条件に基づいて冷却ファン６０を制御する（ファン駆動制御ステップ：ステップＳ６）。
【００９４】
具体的に、冷却条件選択手段５４Ａ４にて設定した冷却条件が高速である場合には、モータに高い印加電圧を加え、かつ、短い時間（１５〜２０秒）でモータへの印加電圧の出力を終了する。また、選択した冷却条件が低速である場合には、モータに低い印加電圧を加え、かつ、長い時間（９０〜１２０秒）でモータへの印加電圧の出力を終了する。
【００９５】
（Ｇ）そして、ファン駆動制御手段５４Ｆからモータへの印加電圧の出力が終了した後、冷却ファン６０は回転を停止する（ステップＳ７）。
（Ｈ）このステップＳ８におけるファン駆動制御手段５４Ｆからモータへの印加電圧の出力終了と同時に、ファン駆動制御手段５４Ｆは、電源切替制御手段５４Ｇに信号を出力する。そして、電源切替制御手段５４Ｇは、この入力した信号に基づいてプロジェクタ１の電源３１をＯＦＦする（ステップＳ８）。
【００９６】
〔６．実施形態の効果〕
上述のような本実施形態によれば、次のような効果がある。
（１）プロジェクタ１を構成する制御部５４は、ファン駆動制御手段５４Ｆおよび冷却条件選択手段５４Ａ４とを備え、ファン駆動制御手段５４Ｆは、冷却条件選択手段５４Ａ４にて選択された冷却条件に基づいて、光源ランプ４１６の消灯後、冷却ファン６０の駆動制御を行うことにより、冷却条件選択手段５４Ａ４が、高速の項目（プロジェクタ１内の冷却を短時間で実施する項目）、または、低速の項目（冷却ファン６０による騒音を考慮して所定時間で実施する項目）を設定することで、光源ランプ４１６の消灯後、プロジェクタ１内の冷却を効率的に実施することができる。
【００９７】
（２）機能設定手段５４Ａは、プロジェクタ１の各種機能を設定する機能設定画面をスクリーン上に表示することにより、ユーザは、プレゼンテーションの開始前、または、プレゼンテーションの終了後に、この表示された機能設定画面からプロジェクタ１の各種機能を選択することができる。
【００９８】
（３）機能設定画面には、冷却ファン６０の冷却条件を設定する項目が含まれていることにより、プレゼンテーションの開始前、または、プレゼンテーションの終了後に、冷却条件選択手段５４Ａ４にて冷却条件を設定することができる。
したがって、ユーザは、光源ランプ４１６の消灯後のクールダウンを短時間で終わらせる場合、または、プロジェクタ１の静粛性を考慮して実施する場合等に応じて、冷却条件を選択し、クールダウンを効率的に実施することができる。
【００９９】
（４）蓄積部５５は、設定条件記録手段５５Ｂを備えていることにより、ファン駆動制御手段５４Ｆは、この設定条件記録手段５５Ｂに記録された設定条件のうち、冷却ファン６０の冷却条件を読み込むことで、従前に実施したプロジェクタ１内の冷却制御と同一の冷却制御を実施することができる。
したがって、ユーザが、最初に設定したプロジェクタ１内の冷却制御を以降の操作でも実施したい場合には、冷却条件の選択等を実施せずに、設定条件記録手段５５Ｂに記録された冷却条件をファン駆動制御手段５４Ｆに読み込ませることで実施することができる。
また、同様に、液晶パネル制御手段５４Ｂ、音声情報制御手段５４Ｃ、画像制御手段５４Ｄにおいても、設定条件記録手段５５Ｂに記録された設定条件を読み込むことで、最初に設定したプロジェクタ１の各種機能を以降の操作でも実施することができる。
【０１００】
（５）ファン駆動制御手段５４Ｆは、設定条件記録手段５５Ｂに記録された設定条件のうち、冷却ファン６０の冷却条件に基づいてモータへの印加電圧を変更する。このことにより、ファン駆動制御手段５４Ｆは、冷却ファン６０を駆動制御することができる。
したがって、ファン駆動制御手段５４Ｆは、冷却条件選択手段５４Ａ４にて設定された冷却条件、例えば、クールダウンモードの高速に対応して、モータへの印加電圧を高く設定し、冷却ファン６０を高い回転数で回転させることができる。また、クールダウンモードの低速に対応して、モータへの印加電圧を低く設定し、冷却ファン６０からの騒音を考慮して、冷却ファン６０を低い回転数で回転させることができる。
【０１０１】
（６）制御部５４は、電源切替制御手段５４Ｇを備え、ファン駆動制御手段５４Ｆによって冷却ファンの駆動制御が終了した後、電源切替制御手段５４Ｇが、このファン駆動制御手段５４Ｆからの信号を受信し、この受信した信号に基づいて電源３１の通電をＯＦＦすることにより、プロジェクタ１内の冷却を終了した後、自動的に電源をＯＦＦすることができる。
【０１０２】
（７）機能設定ボタン２３Ａは、パワーボタン２３Ａ１と、選択ボタン２３Ａ２と、決定ボタン２３Ａ３とを備えていることにより、ユーザが、プロジェクタ１の起動時に、パワーボタン２３Ａ１を押下すると、機能設定手段５４Ａは、このパワーボタン２３Ａ１の押下に伴って出力される操作信号を検出し、機能設定画面を表示する。そして、ユーザが、再度、パワーボタン２３Ａ１を押下することで、光源駆動制御手段５４Ｅは、光源ランプ４１６を消灯することができる。
したがって、パワーボタン２３Ａ１を２度押下することで、光源ランプ４１６が消灯されるように構成されていることにより、ユーザが間違ってパワーボタン２３Ａ１を操作した場合でも、光源ランプ４１６の消灯が実施されず、その操作を訂正することができる。
【０１０３】
〔７．実施形態の変形〕
なお、本発明は前記実施形態に限定されるものではなく、本発明の目的を達成できる範囲での変形、改良は、本発明に含まれるものである。
前記実施形態では、機能設定画面におけるクールダウンモードにおいて、冷却条件として、高速および低速の項目が設定されていたが、これに限らない。例えば、冷却ファン６０の数および冷却ファン６０の駆動時間（クールダウンモードに掛ける時間）を選択できるように複数の設定項目を設定してもよい。
【０１０４】
このように構成することで、冷却条件選択手段５４Ａ４が、設定された冷却ファン６０の数および冷却ファン６０の駆動時間のうち、少ない冷却ファン６０の数および長い駆動時間を選択すれば、光源ランプ４１６の消灯後のクールダウンをプロジェクタ１の静粛性を考慮して実施することができる。また、冷却に必要最低限な冷却対象のみを冷却し、光源ランプ４１６の消灯後、プロジェクタ１内を効率的に冷却することができる。
【０１０５】
また、ユーザが、表示された機能設定画面において、冷却条件として設定される冷却ファン６０の回転数、駆動時間、および、数等を任意に書き換える入力部をプロジェクタ１に設けてもよい。
【０１０６】
前記実施形態では、機能設定ボタン２３Ａのパワーボタン２３Ａ１は、機能設定手段５４Ａへの操作信号を送信するとともに、光源駆動制御手段５４Ｅへの操作信号を送信する機能を兼ねていたが、これに限らない。すなわち、これらの機能を別々のボタンで実施させるように構成しても構わない。
【０１０７】
前記実施形態では、冷却ファン６０の冷却条件をユーザが選択するような構成としているが、これに限らない。例えば、冷却条件選択手段がプロジェクタ１周囲の温度等を感知して、適宜、効率的な冷却条件を設定するような構成としてもよい。
【０１０８】
前記実施形態では、３つの液晶パネル４４１を用いたプロジェクタ１の例のみを挙げたが、本発明は、１つの液晶パネルのみを用いたプロジェクタ、２つの液晶パネルを用いたプロジェクタ、あるいは、４つ以上の液晶パネルを用いたプロジェクタにも適用可能である。
【０１０９】
前記実施形態では、液晶パネル４４１を用いていたが、マイクロミラーを用いたデバイスなど、液晶以外を用いてもよい。
前記実施形態では、光入射面と光射出面とが異なる透過型の液晶パネル４４１を用いていたが、光入射面と光射出面とが同一となる反射型の液晶パネルを用いてもよい。
【０１１０】
前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０１１１】
【発明の効果】
本発明によれば、制御部が、光源消灯後の冷却ファンの冷却条件を設定し、この設定された冷却条件に基づいて冷却ファンの駆動制御を実施することにより、光源ランプの消灯後、プロジェクタ内部を効率的に冷却することができるという効果がある。
【図面の簡単な説明】
【図１】本実施形態に係るプロジェクタを上方前面側から見た全体斜視図である。
【図２】本実施形態に係るプロジェクタを後方背面側から見た全体斜視図である。
【図３】前記実施形態におけるプロジェクタの内部を示す斜視図である。具体的には、図１の状態からプロジェクタのアッパーケースを外した図である。
【図４】前記実施形態におけるプロジェクタの内部を示す斜視図である。具体的には、図３の状態から制御基板を外した図である。
【図５】前記実施形態における光学ユニットを示す分解斜視図である。
【図６】前記実施形態における光学ユニットを模式的に示す図である。
【図７】前記実施形態における光学装置本体を下方側から見た斜視図である。
【図８】前記実施形態におけるパネル冷却系Ａおよび電源冷却系Ｃの冷却空気の流れを説明する図である。
【図９】前記実施形態におけるパネル冷却系Ａおよび偏光変換素子冷却系Ｂの冷却空気の流れを説明する図である。
【図１０】前記実施形態における制御部の構造を模式的に示すブロック図である。
【図１１】前記実施形態における機能設定画面を示す図である。
【図１２】前記実施形態における冷却ファンの制御方法を説明するフローチャートである。
【符号の説明】
１　プロジェクタ
２３Ａ１　パワーボタン（電源遮断のスイッチ）
５４　制御部
５４Ａ　機能設定手段
５４Ａ４　冷却条件選択手段
５４Ｆ　ファン駆動制御手段
５４Ｇ　電源切替制御手段（電源遮断制御手段）
６０　冷却ファン
４１６　光源ランプ（光源）
Ｓ２　冷却条件提示ステップ
Ｓ３　冷却条件設定ステップ
Ｓ６　ファン駆動制御ステップ
【図１】
2004021103.tif 000003
【図２】
2004021103.tif 000004
【図３】
2004021103.tif 000005
【図４】
2004021103.tif 000006
【図５】
2004021103.tif 000007
【図６】
2004021103.tif 000008
【図７】
2004021103.tif 000009
【図８】
2004021103.tif 000010
【図９】
2004021103.tif 000011
【図１０】
2004021103.tif 000012
【図１１】
2004021103.tif 000013
【図１２】
2004021103.tif 000014
【手続補正書】
【提出日】平成14年6月27日(2002.6.27)
【手続補正１】
【補正対象書類名】図面
【補正対象項目名】図３
【補正方法】変更
【補正の内容】
【図３】
2004021103.tif 000015
【手続補正２】
【補正対象書類名】図面
【補正対象項目名】図５
【補正方法】変更
【補正の内容】
【図５】
2004021103.tif 000016